(57)【要約】【課題】  フレキシブル配線基板１５の接続を簡易かつ良好に行わせることを可能とする。【解決手段】  絶縁ハウジング１１の内部にフレキシブル配線基板（ＦＰＣ）１４を仮差し込みしてから本接合を完了するまでの間に、前記フレキシブル配線基板１４を絶縁ハウジング１１側に仮保持しておく仮嵌合手段１５を設けたことによってフレキシブル配線基板１４の脱落や位置ズレ等を防止し、治具等を用いることなくフレキシブル配線基板１５の接続を安価かつ安定的に行うように構成したもの。【選択図】      図３
2006269244.tif 000002
【特許請求の範囲】
【請求項１】
複数の導電端子を収容する絶縁ハウジング内に仮差し込みされたフレキシブル配線基板の導電路を、前記導電端子に圧接させることにより本接合を行う構成になされたＦＰＣ用電気コネクタにおいて、
前記絶縁ハウジング内に仮差し込みされた前記フレキシブル配線基板が少なくとも前記導電端子に本接合されるまでの間、前記フレキシブル配線基板を前記絶縁ハウジング側に仮保持させておく仮嵌合手段が設けられていることを特徴とするＦＰＣ用電気コネクタ。
【請求項２】
複数の導電端子が適宜の配列ピッチをなして収容された絶縁ハウジングと、
その絶縁ハウジング内にフレキシブル配線基板を仮差し込み可能とする解除位置から、前記絶縁ハウジング内に仮差し込みされた前記フレキシブル配線基板の導電路を前記導電端子に圧接させて本接合を行う作用位置までの間において往復移動可能に設けられたアクチュエータと、
を備えたＦＰＣ用電気コネクタにおいて、
前記アクチュエータを解除位置に移動した状態で前記絶縁ハウジング内に仮差し込みされたフレキシブル配線基板が、少なくとも前記アクチュエータを前記作用位置まで移動させることによって本接合されるまでの間、当該フレキシブル配線基板を前記絶縁ハウジング側に仮保持させておく仮嵌合手段が設けられていることを特徴とするＦＰＣ用電気コネクタ。
【請求項３】
前記仮嵌合手段は、前記絶縁ハウジングまたはフレキシブル配線基板のいずれか一方側に形成された凹部と、その凹部と嵌合するように前記絶縁ハウジングまたはフレキシブル配線基板のいずれか他方側に形成された凸部と、を備えていることを特徴とする請求項１または請求項２記載のＦＰＣ用電気コネクタ。
【請求項４】
複数の導電端子を適宜の配列ピッチをなして収容した絶縁ハウジング内に、アクチュエータを解除位置に移動した状態でフレキシブル配線基板を仮差し込みした後、前記アクチュエータを作用位置に移動して前記フレキシブル配線基板の導電路を前記導電端子に圧接させることにより本接合を行うようにしたＦＰＣ用電気コネクタの接続方法において、
前記アクチュエータを解除位置に移動させた状態で前記絶縁ハウジング内にフレキシブル配線基板を仮差し込みした後、少なくとも前記アクチュエータを前記作用位置に移動させることにより前記フレキシブル配線基板の本接合を完了するまでの間、適宜の仮嵌合手段によって前記フレキシブル配線基板を前記絶縁ハウジング側に仮保持させておくようにしたことを特徴とするＦＰＣ用電気コネクタの接続方法。
【発明の詳細な説明】
【技術分野】
【０００１】
本発明は、フレキシブル配線基板（ＦＰＣ）を絶縁ハウジング内に差し込んで導電端子に圧接させることにより本接合を行う構成になされたＦＰＣ用電気コネクタおよびその接続方法に関する。
【背景技術】
【０００２】
一般に、フレキシブル配線基板の端末部分が接続された状態で用いられるＦＰＣ用電気コネクタは、多種多様な電気機器において広く採用されているが、例えば図５に示されているように、絶縁ハウジング１の内部に複数の導電端子２が適宜のピッチで列状をなすように収容されているとともに、その絶縁ハウジング１の内部に仮差し込みしたフレキシブル配線基板３の導電路を前記導電端子２に対して圧接することによりフレキシブル配線基板３の本接合が行われるようになっている。
【０００３】
この図５に示されている電気コネクタは、いわゆるＺＩＦ構造をなすものであって、フレキシブル配線基板３を接続するにあたっては、まずアクチュエータ４が図３の上方側の解除位置に移動され、そのようにアクチュエータ４を解除状態とした上でフレキシブル配線基板３の仮差し込みが図示上方側から下方側に向かって行われる。そして、そのフレキシブル配線基板３の仮差し込みが完了した後に、解除位置にあったアクチュエータ４が下降されて図５で示した作用位置に移動され、それによってフレキシブル配線基板３の導電路が前記導電端子２に圧接されるようになっている。
【０００４】
ところが、このような従来のＦＰＣ用電気コネクタでは、フレキシブル配線基板３の本接合が行われる前の仮差し込みを行った段階で、フレキシブル配線基板３が電気コネクタ側から脱落したり位置ズレを生じる場合がある。特に上述したようなＺＩＦ構造を有するＦＰＣ用電気コネクタでは、フレキシブル配線基板３を仮差し込みした段階においてアクチュエータ４が解除状態になされているため、フレキシブル配線基板３に対する保持力はほとんどない。その結果、本接合が完了するまでフレキシブル配線基板３は不安定な状態となってしまい、フレキシブル配線基板３に触れるなどの僅かな外力によってフレキシブル配線基板３が脱落したり位置ズレが発生してしまい、ＦＰＣ用電気コネクタの電気的特性が良好に得られないなどの問題を招来するおそれがある。
【０００５】
【特許文献１】特許第３４５１３９３号公報
【発明の開示】
【発明が解決しようとする課題】
【０００６】
そこで本発明は、フレキシブル配線基板の接続を、容易かつ安定的に行わせることができるようにしたＦＰＣ用電気コネクタおよびその接続方法を提供することを目的とする。
【課題を解決するための手段】
【０００７】
上記目的を達成するため本発明の請求項１にかかるＦＰＣ用電気コネクタでは、複数の導電端子を収容する絶縁ハウジング内に仮差し込みされたフレキシブル配線基板の導電路を、前記導電端子に圧接させることにより本接合を行う構成になされたＦＰＣ用電気コネクタにおいて、前記絶縁ハウジング内に仮差し込みされた前記フレキシブル配線基板が少なくとも前記導電端子に本接合されるまでの間、前記フレキシブル配線基板を前記絶縁ハウジング側に仮保持させておく仮嵌合手段が設けられている。
【０００８】
このような構成を有するＦＰＣ用電気コネクタによれば、絶縁ハウジング内にフレキシブル配線基板が仮差し込みされてから本接合が完了されるまでの間、仮嵌合手段によってフレキシブル配線基板が絶縁ハウジング側に仮保持されることとなる。したがって、治具等を用いることなくフレキシブル配線基板の接続が安価かつ安定的に行われるようになっている。
【０００９】
また、本発明の請求項２にかかるＦＰＣ用電気コネクタでは、複数の導電端子が適宜の配列ピッチをなして収容された絶縁ハウジングと、その絶縁ハウジング内にフレキシブル配線基板を仮差し込み可能とする解除位置から、前記絶縁ハウジング内に仮差し込みされた前記フレキシブル配線基板の導電路を前記導電端子に圧接させて本接合を行う作用位置までの間において往復移動可能に設けられたアクチュエータとを備えたＦＰＣ用電気コネクタにおいて、前記アクチュエータを解除位置に移動した状態で前記絶縁ハウジング内に仮差し込みされたフレキシブル配線基板が、少なくとも前記アクチュエータを前記作用位置まで移動させることによって本接合されるまでの間、当該フレキシブル配線基板を前記絶縁ハウジング側に仮保持させておく仮嵌合手段が設けられている。
【００１０】
このような構成を有するＦＰＣ用電気コネクタによれば、アクチュエータを解除位置に移動させた状態で絶縁ハウジング内にフレキシブル配線基板が仮差し込みされてからアクチュエータが作用位置に移動されて本接合が完了されるまでの間、仮嵌合手段によってフレキシブル配線基板が絶縁ハウジング側に仮保持されることとなる。したがって、治具等を用いることなくフレキシブル配線基板の接続が安価かつ安定的に行われるようになっている。
【００１１】
さらに、本発明の請求項３にかかるＦＰＣ用電気コネクタでは、上記請求項１または請求項２における仮嵌合手段は、前記絶縁ハウジングまたはフレキシブル配線基板のいずれか一方側に形成された凹部と、その凹部と嵌合するように前記絶縁ハウジングまたはフレキシブル配線基板のいずれか他方側に形成された凸部とを備えている。
【００１２】
このような構成を有するＦＰＣ用電気コネクタによれば、仮嵌合手段が、互いに嵌合する凹凸部から構成されていることから、当該仮嵌合手段が容易かつ安価に形成されるようになっている。
【００１３】
一方、本発明の請求項４にかかるＦＰＣ用電気コネクタの接続方法では、複数の導電端子を適宜の配列ピッチをなして収容した絶縁ハウジング内に、アクチュエータを解除位置に移動した状態でフレキシブル配線基板を仮差し込みした後、前記アクチュエータを作用位置に移動して前記フレキシブル配線基板の導電路を前記導電端子に圧接させることにより本接合を行うようにしたＦＰＣ用電気コネクタの接続方法において、前記アクチュエータを解除位置に移動させた状態で前記絶縁ハウジング内にフレキシブル配線基板を仮差し込みした後、少なくとも前記アクチュエータを前記作用位置に移動させることにより前記フレキシブル配線基板の本接合を完了するまでの間、適宜の仮嵌合手段によって前記フレキシブル配線基板を前記絶縁ハウジング側に仮保持させておくようにしている。
【００１４】
このような構成を有するＦＰＣ用電気コネクタの接続方法によれば、アクチュエータを解除位置に移動させた状態で絶縁ハウジング内にフレキシブル配線基板が仮差し込みされてからアクチュエータが作用位置に移動されて本接合が完了されるまでの間、仮嵌合手段によってフレキシブル配線基板が絶縁ハウジング側に仮保持されることとなる。したがって、治具等を用いることなくフレキシブル配線基板の接続が安価かつ安定的に行われるようになっている。
【発明の効果】
【００１５】
以上述べたように本発明にかかるＦＰＣ用電気コネクタおよびその接続方法は、絶縁ハウジングの内部にフレキシブル配線基板を仮差し込みしてから本接合を完了するまでの間にフレキシブル配線基板を絶縁ハウジング側に仮保持する仮嵌合手段を設けたことにより、治具等を用いることなくフレキシブル配線基板の接続を安価かつ安定的に行うように構成したものであるから、フレキシブル配線基板の接続部位における電気的特性を容易かつ良好に維持することができ、ＦＰＣ用電気コネクタの信頼性を低コストで高めることができる。
【発明を実施するための最良の形態】
【００１６】
以下、本発明の実施形態を図面に基づいて詳細に説明する。
まず図１および図２に示されている本発明の一実施形態にかかるＦＰＣ用電気コネクタ１０は、細長状部材からなる絶縁ハウジング１１を備えており、その絶縁ハウジング１１の内部に、複数の導電端子１２，・・・が適宜のピッチで列状をなすように収容されている。これらの各導電端子１２の端部に形成された半田接続部１２ａは、図示を省略した回路基板上に設けられた半田付けランド部上に載置された状態で半田付けされるようになっている。
【００１７】
ここで、本実施形態におけるＦＰＣ用電気コネクタ１０は、いわゆるＺＩＦ構造のＦＰＣ用電気コネクタであって、上述した絶縁ハウジング１１にはアクチュエータ（スライダー）１３が図示の上下方向に沿って略直線状に往復移動可能に取り付けられている。このアクチュエータ１３は、図３のように図示上方側に移動された解除位置と、図２のように図示下方側に移動された作用位置との間で、略直線状に往復移動される構成になされており、当該アクチュエータ１３が図３の解除位置に移動された状態では、前記絶縁ハウジング１１の内部にフレキシブル配線基板（ＦＰＣ）１４の端末部分（図示下端部分）が図示上方側から仮差し込み可能となっている。
【００１８】
このとき、特に図３に示されているように、前記アクチュエータ１３の長手方向両端部分には、フック状部材からなる係合部１３ａが設けられており、アクチュエータ１３が図示上方の解除位置に移動させられたときに前記係合部１３ａが前記絶縁ハウジング１１側に設けられた係止段部１１ａに当接してアクチュエータ１３の脱落が防止される構成になされている。
【００１９】
また、そのアクチュエータ１３には、フレキシブル配線基板（ＦＰＣ）１４を受け入れるための接続挿入口１３ｂが細長穴状をなすように貫通形成されており、その接続挿入口１３ｂを通して前記フレキシブル配線基板１４の端末部分が絶縁ハウジング１１の内部に向かって図示上方側から図示下方に仮差し込みされるようになっている。その仮差し込みされるフレキシブル配線基板１４の端末部分には、前述した導電端子１２，・・・に対応したピッチで複数の導電路（図示省略）が列状をなすように形成されており、それらの各導電路が、フレキシブル配線基板１４の仮差し込みにより前記導電端子１２に接触されるようになっている。
【００２０】
一方、このようなフレキシブル配線基板１４の仮差し込み状態において、当該フレキシブル配線基板１４の仮保持を行う仮嵌合手段１５が設けられている。この仮嵌合手段１５は、前記フレキシブル配線基板１４の側縁端末部分に設けられた凸部１５ａと、前記絶縁ハウジング１１の内壁に設けられた凹部１５ｂとから形成されており、これらの凸部１５ａと凹部１５ｂとが、フレキシブル配線基板１４の仮差し込み時に互いに軽嵌合し合うことによってフレキシブル配線基板１４の仮保持が行われるようになっている。
【００２１】
このうちフレキシブル配線基板１４側に設けられた凸部１５ａは、当該フレキシブル配線基板１４の幅方向（図３左右方向）における両端縁部に配置されていて、フレキシブル配線基板１４の端末部分における両端縁の各々から外方に向かって略三角形状をなして突出するように形成されている。一方、前記絶縁ハウジング１１の内壁に設けられた凹部１５ｂは、段差をなして窪むように形成されていて、前記段差から絶縁ハウジング１１の図示下端位置まで溝状に延在する形状になされている。
【００２２】
そして、上述したようにフレキシブル配線基板１４が前記絶縁ハウジング１１内に図示上方側から仮差し込みされたときに、当該フレキシブル配線基板１４側の凸部１５ａが、絶縁ハウジング１１側の凹部１５ｂ内に段差を介して落とし込まれるように嵌合する構成になされている。このような仮嵌合手段１５が嵌合状態になされると、その嵌合力によって、上述したように仮差し込みされたフレキシブル配線基板１４の全体が絶縁ハウジング１１側に仮保持されることとなる。
【００２３】
このようにしてフレキシブル配線基板１４の端末部分が絶縁ハウジング１１の内部に仮差し込みされて仮保持状態になされると、上述したアクチュエータ（スライダー）１３が下降されて図２に示された作用位置に移動され、それによって、いままで仮差し込み状態にあったフレキシブル配線基板１４が本接合状態となる。その結果、前記フレキシブル配線基板１４の導電路が前記導電端子１２に圧接され、当該フレキシブル配線基板１４の接続が完了される。
【００２４】
以上のように本実施形態にかかるＦＰＣ用電気コネクタ１０によれば、アクチュエータ１３を解除位置に移動させた状態で絶縁ハウジング１１の内部にフレキシブル配線基板１４が仮差し込みされてから、アクチュエータ１３が作用位置に略直線状に移動されて本接合が完了されるまでの間に、仮嵌合手段１５によってフレキシブル配線基板１４が絶縁ハウジング１１側に仮保持されることとなる。したがって、フレキシブル配線基板１４の接続が、特定の治具等を用いることなく安価かつ安定的に行われる。
【００２５】
このとき、特に本実施形態では、仮嵌合手段１５が互いに嵌合する凹凸部１５ａ，１５ｂから構成されていることから、仮嵌合手段１５の製造が容易かつ安価に行われるようになっている。
【００２６】
一方、図４に示されている本発明の他の実施形態にかかる仮嵌合手段２５では、上述した実施形態とは凹凸関係が逆となるように構成されており、フレキシブル配線基板２４の端末部分に凹部２５ａが設けられているとともに、絶縁ハウジング２１の内壁に凸部２５ｂが形成されている。このように凹凸関係を逆にした実施形態においても上述した実施形態と同様な作用・効果が得られる。
【００２７】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００２８】
例えば、上述した各実施形態におけるＦＰＣ用電気コネクタは、略直線状に移動するアクチュエータ（スライダー）を備えたものに対して本発明を適用したものであるが、解除位置と作用位置との間を回動するようにして移動する回動式のアクチュエータを備えたＦＰＣ用電気コネクタに対しても本発明は同様に適用することができる。
【００２９】
さらに、上述した各実施形態におけるＦＰＣ用電気コネクタは、アクチュエータを備えた、いわゆるＺＩＦ構造のＦＰＣ用電気コネクタに本発明を適用したものであるが、本発明はこれに限定されることはなく、アクチュエータを備えていないＦＰＣ用電気コネクタに対しても同様に適用することが可能である。
【産業上の利用可能性】
【００３０】
以上述べたように本発明は、各種電気機器に使用する多種多様なＦＰＣ用電気コネクタに対して広く適用することが可能である。
【図面の簡単な説明】
【００３１】
【図１】本発明の一実施形態にかかるＦＰＣ用電気コネクタに対してフレキシブル配線基板（ＦＰＣ）を仮差し込みする直前の状態を表した外観斜視説明図である。
【図２】図１に示された本発明の一実施形態にかかるＦＰＣ用電気コネクタに対してフレキシブル配線基板（ＦＰＣ）を仮差し込した状態を表した部分破断説明図である。
【図３】図２のＡ部を拡大して表した縦断面説明図である。
【図４】本発明の他の実施形態における図３相当の縦断面説明図である。
【図５】従来のＦＰＣ用電気コネクタの構造を表した部分拡大縦断面説明図である。
【符号の説明】
【００３２】
１０  ＦＰＣ用電気コネクタ
１１  絶縁ハウジング
１１ａ  係止段部
１２  導電端子
１２ａ  半田接続部
１３  アクチュエータ（スライダー）
１３ａ  係合部
１３ｂ  接続挿入口
１４  フレキシブル配線基板（ＦＰＣ）
１５  仮嵌合手段
１５ａ  凸部
１５ｂ  凹部
２５  仮嵌合手段
２４  フレキシブル配線基板（ＦＰＣ）
２５ａ  凹部
２５ｂ  凸部
【図１】
2006269244.tif 000003
【図２】
2006269244.tif 000004
【図３】
2006269244.tif 000005
【図４】
2006269244.tif 000006
【図５】
2006269244.tif 000007